(57)【要約】【課題】浴室内の天井または壁材において天井または壁材の結露を防ぐ為に、表面に水滴が付着する場合に水滴が収斂する力を無くし水が薄い膜状になるように乾燥しやすい天井または壁材にし、からっとした浴室空間を提供することを目的とする。【解決手段】天井１または壁材２の浴室内に面する表面にシリカ粒子と界面活性剤とを含む樹脂塗料とからなる塗装膜層４を施すことにより、天井１や壁材２の表面が結露した場合に水の膜５を形成するように構成する。【選択図】  図２
2005002555.tif 000002
【特許請求の範囲】
【請求項１】
天井または壁材の浴室内に面する表面にシリカ粒子と界面活性剤とを含む樹脂塗料とからなる塗装膜層を施すことにより、天井や壁材の表面が結露した場合に水の膜を形成するようにした構成からなる浴室用天井または壁材。
【請求項２】
天井の浴室内に面する表面において傾斜を設け端部あるいは４コーナ隅部において最も低い位置となるように構成した請求項１記載の浴室用天井。
【請求項３】
天井に機器を取り付ける天井表面の位置を天井表面の中で最も高く構成した請求項１または２記載の浴室用天井。
【請求項４】
天井または壁の表面の内近傍に熱伝導性の良い材質を用いた請求項１〜３記載の浴室用天井または壁材。
【請求項５】
シリカ粒子と界面活性剤とを含む樹脂塗料とからなる塗装膜層に球状樹脂ビーズを加えてなる請求項１記載の浴室用天井または壁材。
【発明の詳細な説明】
【０００１】
【発明の属する技術分野】
本発明は浴室内の天井または壁材において天井や壁の結露を防ぎ、乾燥しやすい天井または壁材にし、からっとした浴室空間を提供する為の浴室用天井または壁材を供するものである。
【０００２】
【従来の技術】
従来、浴室内の天井において天井の結露を防ぐ方法として、樹脂部材表面に親水基を導入することによって表面を親水化し水滴をできにくくしているものがある（例えば、特許文献１参照）。
【０００３】
また、天井パネル表面に親水性を持たせて結露水が水滴になるのを防ぎ、なおかつ天井パネル全体の凹形状を利用して表面に発生した結露水が天井表面を伝わって壁上端部まで流れ壁を伝わって床から排水口へ排水させるものもある（例えば、特許文献２参照）。
【０００４】
さらに、天井パネルに親水部分とはっ水部分を設け傾斜方向と略直交する方向に交互に形成するようにした浴室天井もある（例えば、特許文献３参照）。
【０００５】
【特許文献１】
特開２００１−０１９８５７号公報
【特許文献２】
特開２００１−１１５６６７号公報
【特許文献３】
特開２０００−０８１８８０号公報
【０００６】
【発明が解決しようとする課題】
しかしながら、表面を親水化する方法や既存の親水性塗料を用いる方法もあるが、水の接触角を小さくする為の方策では、水の球がやはり水滴になるという欠点を有するので、新たな解決手段として浴室内の天井または壁材において天井または壁材の結露を防ぐ為に、表面に水滴が付着する場合に水滴が収斂する力を無くし水が薄い膜状になるようにして、乾燥しやすい天井または壁材にし、からっとした浴室空間を提供することを目的とする。
【０００７】
【課題を解決するための手段】
本発明は上記課題を解決するめに、天井または壁材の浴室内に面する表面にシリカ粒子と界面活性剤とを含む樹脂塗料とからなる塗装膜層を施すことにより、天井や壁の表面が結露した場合に水の膜を形成するようにした構成とする。そして、前記シリカ粒子と界面活性剤とを含む樹脂塗料とからなる塗装膜層を設けることにより、天井表面または壁材表面に水滴が付着した場合水の収斂する力を弱めることができ、天井表面に水滴は形成されず水の膜を形成することができる。
【０００８】
【発明の実施の形態】
本発明の請求項１にかかる発明は、天井または壁材の浴室内に面する表面にシリカ粒子と界面活性剤とを含む樹脂塗料とからなる塗装膜層を施すことにより、天井や壁材の表面が結露した場合に水の膜を形成するようにした構成したものである。
【０００９】
そして、前記シリカ粒子と界面活性剤とを含む樹脂塗料とからなる塗装膜層を設けることにより、天井表面に水滴が付着した場合水の収斂する力を弱めることができるので、天井表面に水滴は形成されず水の膜を形成することができる。このようにすると、天井からの水滴の落下を防止することができるとともに水の膜を形成する方が水滴より表面積が大きいので乾燥する速度も速くなり、からっとした浴室空間を提供することができる。
【００１０】
本発明の請求項２にかかる発明は、天井の浴室内に面する表面において傾斜を設け端部あるいは４コーナ隅部において最も低い位置となるように構成したものである。
【００１１】
そして、天井表面に水滴は形成されず水の膜を形成した場合、最も低い位置を天井表面の端部あるいは４コーナ隅部とすることにより膜状になった水は高いところから低いところへ移動するので水を最も低い位置に集めることができる。
【００１２】
本発明の請求項３にかかる発明は、天井に機器を取り付ける天井表面の位置を天井表面の中で最も高く構成したものである。
【００１３】
そして、天井に取り付ける換気扇、浴室乾燥機やオーディオ機器などの天井に取り付ける機器の天井表面の位置を高くすることによりその部分での水の膜はより低い部分に移動するのでの機器取り付け周囲部の天井からの水滴落下を防止することができる。
【００１４】
本発明の請求項４にかかる発明は、天井または壁の表面の内近傍に熱伝導性の良い材質を用いた構成としたものである。
【００１５】
そして、天井または壁の表面近傍に熱伝導性の良い材質を用いることで、天井または壁の表面の温度をより均一な条件にすることができ、表面温度が部分的に低下し露点以下になるのを防止し、露天以下になる場合は天井あるいは壁材の全体が露点以下となるようにし、表面に薄い水の膜を形成するようにする。
【００１６】
本発明の請求項５にかかる発明は、シリカ粒子と界面活性剤とを含む樹脂塗料とからなる塗装膜層に球状樹脂ビーズを加えてなる構成にしたものである。
【００１７】
塗料に球状樹脂ビーズを加えることにより天井または壁材の表面硬度を硬くすることができるとともに耐磨耗性にも優れた表面塗装膜を構成することができる。
【００１８】
【実施例】
以下、本発明の実施例について図面を用いて説明する。
【００１９】
（実施例１）
図１の浴室内の斜視図に示すように、浴室は、浴槽、洗い場、扉、鏡、水栓、換気扇、窓、壁、天井などの部材を組み合わせることにより構成される。天井１または壁材２は、浴室内に面する表面にシリカ粒子と界面活性剤とを含む樹脂塗料とからなる塗装膜層を施すことにより、天井表面が結露した場合に水の膜を形成するようにした構成からなる。図２は、図１で示した天井の部分断面図であり、天井基材３の浴室内に面する表面にシリカ粒子と界面活性剤とを含む樹脂塗料とからなる塗装膜層４を設ける構成とする。具体的には、天井基材３として樹脂シート鋼板の裏面に石膏ボートを貼り付けたもの、耐衝撃性ポリスチレン（ＨＩＰＳ）をブーロー成形することにより中空状に成形したもの、耐衝撃性ポリスチレン（ＨＩＰＳ）を金型に射出成形することにより成形したものなどが挙げられる。
【００２０】
一方、塗装膜層４はスプレー法やフローコーター法などにより天井基材３に設けることができる。樹脂塗料はアクリルウレタン系のポリオール樹脂１００重量部に対し、シリカ粒子を５〜７重量部とシリコーン系界面活性剤３〜７重量部を添加し混合した。このようにして得られた主剤塗料とイソシアネートからなる硬化剤を混ぜ、スプレーガンを用い天井基材に約１０〜２０μｍの塗装膜層を設け、その後所定の温度で１〜２４時間放置することにより硬化させ目的とする天井を得た。
【００２１】
このようにして得られた天井を図１に示すようなシステムバスとして組み付け、システムバスの室内を多湿環境にし、天井を冷たくし天井表面が露点以下となるようにして結露させた。すると、シリカ粒子と界面活性剤とを含む樹脂塗料とからなる塗装膜層を設けているので、天井表面に水滴が付着した場合水の収斂する力を弱めることができるので、天井表面に水滴は形成されず水の膜５を形成した（図２（ｂ））。このようにすると、天井からの水滴の落下を防止することができるとともに水の膜を形成する方が水滴より表面積が大きいので乾燥する速度も速くなりからっとした浴室空間を提供することができる。
【００２２】
既存の親水性塗料や天井基材の表面加工では、水との接触角を低下させても水滴を形成することになるが、本実施例のように水の収斂する力を弱めることのできる塗装膜層を形成することにより結露した場合は水滴を形成せず、水の膜を形成することを発見した。本実施例の水との接触角は約６０度であり、親水性塗料とは言いがたいものである。
【００２３】
上記実施例は天井について述べたが、樹脂シート鋼板、シートモールディングコンパウンド（ＳＭＣ）や化粧セメント板からなる壁材についても本発明の塗装膜層を浴室内の表面に設けることによ同様の作用効果が得られる。
【００２４】
（実施例２）
図３に示す断面図のように、天井の浴室内に面する表面において傾斜を設け天井端部６において最も低い位置となるように天井基材７を構成し、実施例１と同様の塗装膜層（図示せず）を浴室内８に面する表面に設けた。このような構成にすると、天井が結露した場合に天井表面に薄い水の膜９が形成され、天井表面に傾斜を設けているので水は高いところから低いところへ流れることになり結露水を最も低い位置に集めることができる。このようにすると、天井中央部からの結露による水滴の落下を防止することができる。
【００２５】
天井の端部を最も低い位置にする場合をのべたが、さらに限定して天井のコーナ隅部を最も低い位置としそこに水を集めることも可能である。
【００２６】
（実施例３）
図４に示すように、天井に機器１０を取り付ける場合に機器取り付け端部１１の天井表面の位置を天井表面の中で最も高く構成し、その他の構成は実施例２と同様にする。このような構成により、天井に取り付ける換気扇、浴室乾燥機やオーディオ機器などの天井に取り付ける機器の天井表面の位置を高くすることによりその部分での水の膜はより低い部分に移動するのでの機器取り付け周囲部の天井からの水滴落下を確実に防止することができる。
【００２７】
（実施例４）
天井を樹脂シート鋼板で構成して実施例１の塗装膜層を構成した。このように表面近傍に熱伝導性の良い材質である鋼板を用いた構成にすると、天井の表面の温度をより均一な条件にすることができ、表面温度が部分的に低下し露点以下になるのを防止し、露天以下になる場合は天井の全体が露点以下となるので、安定して表面に薄い水の膜を形成することが可能になった。
【００２８】
表面近傍に熱伝導性の良い材質を配置する方法として、耐衝撃性ポリスチレン（ＨＩＰＳ）をブーロー成形することにより中空状に成形したものでは、中空部の裏面に熱伝導性の良い金属を貼り付けて表面温度分布をより均一にすることや、耐衝撃性ポリスチレン（ＨＩＰＳ）材料に金属紛を混ぜて熱伝導性を向上させることができる。
【００２９】
（実施例５）
実施例１で述べたシリカ粒子と界面活性剤とを含む樹脂塗料とからなる塗装膜層にアクリル樹脂からなる球状樹脂ビーズを３〜８重量部加えた。その他は実施例１と同様である。このような構成にすると、塗料に球状樹脂ビーズを加えることにより天井または壁材の表面硬度を硬くすることができるとともに耐磨耗性にも優れた表面塗装膜を構成することができた。
【００３０】
【発明の効果】
以上説明したように本発明により、浴室の天井または壁材にシリカ粒子と界面活性剤とを含む樹脂塗料とからなる塗装膜層を設けることにより、塗装膜表面に水滴が付着した場合水の収斂する力を弱めることができるので、塗装膜表面に水滴は形成されず水の膜を形成することができる。このようにすることにより、天井からの水滴の落下を防止することができるとともに、水の膜を形成する方が水滴より表面積が大きいので乾燥する速度も速くなり、からっとした浴室空間を提供することができるという効果がある。
【図面の簡単な説明】
【図１】本発明の実施例１における浴室全体を示す斜視図
【図２】（ａ）本発明の実施例１における浴室用天井の詳細を示す部分断面図
（ｂ）本発明の実施例１における浴室用天井と水の膜の詳細を示す部分断面図
【図３】本発明の実施例２における浴室用天井の部分断面図
【図４】本発明の実施例３における浴室用天井の部分断面図
【符号の説明】
１、天井
２、壁材
３、７、天井基材
４、塗装膜層
５、９、水の膜
６、天井端部
１０、機器
１１、機器取り付け端部
【図１】
2005002555.tif 000003
【図２】
2005002555.tif 000004
【図３】
2005002555.tif 000005
【図４】
2005002555.tif 000006